(57)【要約】【課題】必要以上に床面積を大きくすること無く、太陽光発電パネルの設置自由度をより良くし、充分な発電量が得られる建物を提供する。【解決手段】上階屋根３１と下階屋根３２とが同一面で連続する葺き降ろし屋根３４を有し、この葺き降ろし屋根３４の棟３３から軒先３５までほぼ全域にわたって太陽光発電パネル４０が敷設された建物１００としている。【選択図】図１
2004332200.tif 000002
【特許請求の範囲】
【請求項１】
上階屋根と下階屋根とが同一面で連続する葺き降ろし屋根を有し、この葺き降ろし屋根の棟から軒先までほぼ全域にわたって太陽光発電パネルが敷設されたことを特徴とする建物。
【請求項２】
請求項１において、前記下階屋根の下方には、吹き抜け空間が形成され、かつ前記下階屋根に前記吹き抜け空間への採光がなされる天窓が設けられたことを特徴とする建物。
【請求項３】
請求項１または２のいずれかにおいて、前記葺き降ろし屋根の前記上階屋根に隣接して、他の上階屋根が設けられ、前記他の上階屋根と前記葺き降ろし屋根の前記下階屋根とに隣接して屋外に開放されたバルコニーが設けられ、前記他の上階屋根にも太陽光発電パネルが敷設されていることを特徴とする建物。
【請求項４】
第１の屋根の上端縁を第２の屋根の上端縁の上方に位置させた段違い屋根を有する建物であって、前記第１の屋根の棟から軒先まで、ほぼ全域にわたって太陽光発電パネルが敷設されたことを特徴とする建物。
【請求項５】
前記第１の屋根の下端近傍に、バルコニーが設けられていることを特徴とする請求項４記載の建物。
【請求項６】
前記第１の屋根の上端縁から垂下されて前記第２の屋根の上端縁に至る屋根部縦壁面には、通風用の開口部が形成されていることを特徴とする請求項４又は５記載の建物。
【請求項７】
屋根の軒側に位置する居室の上部が、標準高さ以下に、かつ傾斜面として区画されて、該屋根の棟から、軒先に至るまで略全域に渡り太陽光発電パネルが敷設されていることを特徴とする建物。
【請求項８】
第１の外壁と、該第１の外壁よりも後退した第２の外壁と、該第１の外壁の上方に位置する第１の屋根と、前記第２の外壁の上方に位置する第２の屋根とを有して、前記第１の屋根と第２の屋根とは同一平面とされると共に、該第１の屋根の軒先と、前記第２の屋根の軒先とは、同一直線上に位置すると共に、該第１の屋根と第２の屋根との棟から軒先まで、略全域に渡り太陽光発電パネルが設置されたことを特徴とする建物。
【請求項９】
前記第２の外壁の屋外側には、バルコニーが設けられていることを特徴とする請求項８記載の建物。
【発明の詳細な説明】
【０００１】
【発明の属する技術分野】
この発明は、屋根に太陽光発電パネルを取り付けた建物に関するものである。
【０００２】
【従来の技術】
一般的に、建物に太陽光発電パネルを設けるのは、他の目的に使用されることが少なく、一番邪魔にならず、また、採光効率が良い場所として屋根ということになる。
【０００３】
一般的な建物は、多くは下屋部分と二階建て部分とがあり、これらの部分にはそれぞれ下階屋根、上階屋根が分割され、別個独立に設けられている。そして、これらの屋根部分に、太陽光発電パネルが設置されている（例えば、特許文献１参照。）。
【０００４】
これによれば、建物の屋根に取り付けた太陽光発電パネルで太陽光を受け発電し、屋内の使用電力の一部または全部を賄うことがなされている。
【０００５】
【特許文献１】
特許第２５０１７２４号公報
【０００６】
【発明が解決しようとする課題】
しかしながら、この太陽光発電パネルは大きさが規格化されており、分割された小さな屋根では、設置自由度が限られており、ときに上下左右に空きが生ずるような配設になり、屋根の総面積が有効に活用されていないという問題があった。
【０００７】
また、この空きを有効利用しようと軒を長くする場合には、採光等の問題がある。
【０００８】
また、必要発電量を確保するため、各屋根を大きくしたり、別に屋根を設けたりすることは、住宅の床面積を必要以上に大きくすること、すなわち大規模住宅にしてしまうという問題があった。
【０００９】
そこで、この発明は、必要以上に床面積を大きくすること無く、太陽光発電パネルの設置自由度をより良くし、充分な発電量が得られる建物を提供することを目的としている。
【００１０】
【課題を解決するための手段】
上記目的を達成するために、請求項１に記載された発明では、上階屋根と下階屋根とが同一面で連続する葺き降ろし屋根を有し、この葺き降ろし屋根の棟から軒先までほぼ全域にわたって太陽光発電パネルが敷設されたことを特徴とする建物としている。
【００１１】
このように構成された請求項１記載のものでは、上下分割屋根で無く連続した葺き降ろし屋根であるため、上階屋根と下階屋根との連続した境界部でも無駄な空きを発生させること無く、太陽光発電パネルを設置でき、設置の自由度が増し、より多くの太陽光発電パネルが設置され、有効かつ充分な発電量が得られる。また、小分割されていないので、施工やメンテナンス時の作業性や安全性が良くなる。
【００１２】
また、請求項２に記載された発明では、請求項１において、前記下階屋根の下方には、吹き抜け空間が形成され、かつ前記下階屋根に前記吹き抜け空間への採光がなされる天窓が設けられたことを特徴とする建物としている。
【００１３】
このように構成された請求項２記載のものでは、床面積を増加すること無く、充分な発電量を確保し、下階屋根下に天井高となる空間が形成され、開放感と共に明るさも享受できる。
【００１４】
さらに、請求項３に記載の発明では、請求項１または２のいずれかにおいて、前記葺き降ろし屋根の前記上階屋根に隣接して、他の上階屋根が設けられ、前記他の上階屋根と前記葺き降ろし屋根の前記下階屋根とに隣接して屋外に開放されたバルコニーが設けられ、前記他の上階屋根にも太陽光発電パネルが敷設されていることを特徴とする建物としている。
【００１５】
このように構成された請求項３記載のものでは、さらに発電量を増やしながら、充分な採光の得られるバルコニーを確保することができ、このバルコニーから屋根に登りやすいので、施工やメンテナンス時の作業性や安全性がさらに良くなる。
【００１６】
また、請求項４に記載されたものでは、第１の屋根の上端縁を第２の屋根の上端縁の上方に位置させた段違い屋根を有する建物であって、前記第１の屋根の棟から軒先まで、ほぼ全域にわたって太陽光発電パネルが敷設された建物を特徴としている。
【００１７】
このように構成された請求項４記載のものでは、前記太陽光発電パネルが、前記第１の屋根の棟から軒先まで、ほぼ全域にわたって敷設されている。
【００１８】
該第１の屋根の上端縁は、第２の屋根の上端縁の上方に位置しているので、第１の屋根の面積が増大し、太陽光発電パネルを設置する面積を増大させることが出来、充分な発電量が得られる。
【００１９】
また、請求項５に記載されたものでは、前記第１の屋根の下端近傍に、バルコニーが設けられている請求項４記載の建物を特徴としている。
【００２０】
このように構成された請求項５記載のものでは、前記第１の屋根の下端近傍にバルコニーを設けて、充分な採光を得られるバルコニーを確保して、軒先近傍の太陽光発電パネルの数が減少する場合でも、前記太陽光発電パネルを設置する面積が増大しているので、充分な発電量が確保出来る。
【００２１】
更に、請求項６に記載されたものでは、前記第１の屋根の上端縁から垂下されて前記第２の屋根の上端縁に至る屋根部縦壁面には、通風用の開口部が形成されている請求項４又は５のうち何れか一項記載の建物を特徴としている。
【００２２】
このように構成された請求項６記載のものでは、換気性を良好なものとして、更に、冷暖房効率を向上させることができる。従って、冷暖房時に電力が不足しがちな場合であっても、建物の床面積を増大させることなく、電力供給を充分に行わせることができる。
【００２３】
また、請求項７に記載されたものでは、屋根の軒側に位置する居室の上部が、標準高さ以下に、かつ傾斜面として区画されて、該屋根の棟から、軒先に至るまで略全域に渡り太陽光発電パネルが敷設されている建物を特徴としている。
【００２４】
このように構成された請求項７記載のものでは、前記居室上部が、標準高さ以下に、かつ傾斜面として区画されているので、屋根の高さを抑えながら、屋根の面積すなわち太陽光発電パネルの設置可能面積を増大させることができる。
【００２５】
また、請求項８に記載されたものでは、第１の外壁と、該第１の外壁よりも後退した第２の外壁と、該第１の外壁の上方に位置する第１の屋根と、前記第２の外壁の上方に位置する第２の屋根とを有して、前記第１の屋根と第２の屋根とは同一平面とされると共に、該第１の屋根の軒先と、前記第２の屋根の軒先とは、同一直線上に位置すると共に、該第１の屋根と第２の屋根との棟から軒先まで、略全域に渡り太陽光発電パネルが設置された建物を特徴としている。
【００２６】
このように構成された請求項８に記載されたものでは、前記第２の屋根は、前記第１の屋根と同一平面とされると共に、該第１の屋根の軒先と、前記第２の屋根の軒先とが、同一直線上に位置されているので、床面積を増大させることなく、屋根の面積すなわち太陽光発電パネルの設置可能面積を増大させることができる。
【００２７】
また、前記第２の屋根が、前記第１の屋根と同一平面とされているので、屋根部に段差を発生させることがない。このため、段差によって日陰部分が生じることもなく、太陽光発電パネルの発電効率を良好なものとすることができる。
【００２８】
更に、請求項９に記載されたものでは、前記第２の外壁の屋外側には、バルコニーが設けられている請求項８記載の建物を特徴としている。
【００２９】
このように構成された請求項９記載のものでは、前記第２の外壁の屋外側に設けられたバルコニーの上方に前記第２の屋根の軒先を設けることができるので、更に、床面積を増大させることなく、屋根の面積すなわち太陽光発電パネルの設置可能面積を増大させることができる。
【００３０】
【発明の実施の形態１】
次に、図面に基づいてこの発明の実施の形態１の建物１００を説明する。
【００３１】
図１及び図２は、この発明の実施の形態１の建物１００を示す図である。
【００３２】
まず、構成を説明すると、この発明の実施の形態１に係る建物１００は、基礎１０と、基礎１０上に組み付けられた躯体本体２０と、躯体本体２０を覆う屋根３０と、この屋根３０に敷設された太陽光発電パネル４０，４０ａとから構成され、これらの太陽光発電パネル４０，４０ａで発電される電力の供給を受けている。
【００３３】
躯体本体２０は、例えば、南側の下屋部と北側の２階建て部とが一体となっている。図２に示す例では、南側下屋部がリビングルーム２１であり、北側２階建て部が１階にリビングルーム２１と接した台所２２と台所２２の北側に洗面所２３とがあり、２階に主寝室２４がある。
【００３４】
リビングルーム２１は、後述する葺き降ろし屋根のため天井高の吹き抜け空間２１ａを有するように、例えば、屋根に近接し、勾配を同じくした天井２１ｂを有している。また、リビングルーム２１は、南面する掃き出し窓２１ｃ、主寝室２４との間の窓２１ｄ、天窓２１ｅ等を有している。
【００３５】
屋根３０は、２階建て部の上階屋根３１，３１ａ、３１ｂと下屋部の下階屋根３２とからなり、上階屋根３１は棟３３を境に両側に設けられ、南側の上階屋根３１と下階屋根３２とが同一面で棟３３から軒先３５まで連続して葺き降ろし屋根３４を構成している。
【００３６】
この葺き降ろし屋根３４の上階屋根３１に隣接して、同一面あるいは段差の付いた他の上階屋根３１ａが設けられ、上階屋根３１の棟３３を介した反対側には上階屋根３１ｂが設けられている。そして、他の上階屋根３１ａと葺き降ろし屋根３４の下階屋根３２とに隣接して屋外に開放されたバルコニー２５が設けられている。
【００３７】
太陽光発電を有効に利用するために、屋根３０に太陽光発電パネル４０を敷設している。この太陽光発電パネル４０は、例えば規格化されており、縦１５７７ｍｍ、横７８３ｍｍの矩形平板、あるいは縦が半分になった矩形平板を呈し、中に図示省略の太陽電池が配設されていて、太陽光発電パネル４０の１枚当たりの発電量が、例えば約０．１７１ｋｗである。
【００３８】
葺き降ろし屋根３４は、棟３３から軒先３５までほぼ全域にわたって、太陽光発電パネルとして、例えば、縦方向の長さが通常の半分の全長の太陽光発電パネル４０ａと、通常の全長の太陽光発電パネル４０…を４枚とが縦列に敷設され、さらに、これが６列に横列されて敷設されている。
【００３９】
他の上階屋根３１ａ及び上階屋根３１ｂにも、なるべく多くの太陽光発電パネル４０が敷設できるような配置を考えて配設されている。これら太陽光発電パネル４０が敷設された屋根３０には、周囲に空き３６が形成されている。この空き３６は、上階屋根３１，３１ａ、３１ｂ及び下階屋根３２が単独分離され、あるいは同一面でなかったりで別個独立である場合には、一般的により大きな面積で発生する。
【００４０】
したがって、葺き降ろし屋根３４とするとか、上階屋根３１と他の上階屋根３１ａとを隣接させ同一面にすることにより、無駄な空き３６ができるだけできるのを少なくしている。すなわち、太陽光発電パネル４０を単独であれば出来るであろう空き３６の位置に続けて配置できて有効に敷設できる。
【００４１】
また、葺き降ろし屋根でなく、同等面積の大きな上階屋根にするならば、２階の床面積が増えて全床面積が増え、屋根全体が高くなってしまう。それに比べ本実施例では必要以上に床面積を大きくすることなく、また、屋根の高さを抑えているので施工やメンテナンス時の作業性や安全性が良い。
【００４２】
この実施の形態１では、沢山の太陽光発電パネル４０の内、一枚を太陽光電池を除いて透光性の良い窓ガラスとし、ここでは開閉可能な天窓２１ｅとしている。下階屋根３２の下方には、吹き抜け空間２１ａが形成され、かつ下階屋根３２に吹き抜け空間２１ａへの採光がなされる天窓２１ｅが設けられた建物１００としている。吹き抜け空間２１ａ及びリビングルーム２１への採光及び換気は、天窓２１ｅ及び掃き出し窓２１ｃ等からなされ、主寝室２４も同様に窓２１ｄを介してなされる。
【００４３】
この構成によれば、床面積を増加すること無く、充分な発電量を確保し、下階屋根３２下に天井高となる空間が形成され、開放感と共に明るさも享受できる。
【００４４】
さらに、葺き降ろし屋根３４の上階屋根３１に隣接して、他の上階屋根３１ａが設けられ、他の上階屋根３１ａと葺き降ろし屋根３４の下階屋根３２とに隣接して屋外に開放されたバルコニー２５が設けられ、他の上階屋根３１ａにも太陽光発電パネル４０が敷設されている建物１００としているので、さらに発電量を増やしながら、バルコニー２５を確保することができ、このバルコニー２５から屋根３０に登りやすいので、施工やメンテナンス時の作業性や安全性がさらに良くなる。
【００４５】
【発明の実施の形態２】
次に、この発明の実施の形態２の建物２００について説明する。
【００４６】
図３乃至図７は、この発明の実施の形態２の建物２００を示す図である。なお、前記実施の形態１と同一乃至均等な部分については、同一符号を付して説明する。
【００４７】
まず、構成を説明すると、この発明の実施の形態２に係る建物２００は、基礎１０と、基礎１０上に組み付けられた躯体本体１２０とから主に構成されている。  このうち、躯体本体１２０は、複数の建物ユニットとしての１階居室ユニット１３１，１３２等を組み合わせて構成される１階部１３０と、複数の建物ユニットとしての２階居室ユニット１４１，１４２及びバルコニーユニット１４３等を組み合わせて構成される２階部１４０と、この２階部１４０の上部を覆う段違い屋根１５０を構成する屋根ユニット１５１，１５２等とを有して主に構成されている。
【００４８】
ここで、南側の２階居室ユニット１４２以外の２階居室ユニットは、上面が水平であるのに対し、南側の２階居室ユニット１４２は、その上面が第１の屋根１６０の勾配に沿って傾斜し、ここに、屋根ユニット１５２と連続して第１の屋根１６０の軒側部分を構成する屋根パネル１５３が設置されている。
【００４９】
すなわち、屋根１６０の軒側部分によって、２階居室ユニット内部の居室上部が、標準高さ以下に、かつ傾斜面として区画されている。
【００５０】
そして、この屋根パネル１５３の上面にも、太陽光発電パネル４０が敷設されている。
【００５１】
このうち、前記段違い屋根１５０は、勾配角度は同一で流れ方向を南向きとする第１の屋根１６０と、流れ方向を北向きとする第２の屋根１７０とから主に構成されて、前記第１屋根１６０の上端縁１６０ａを、第２の屋根の上端縁の真上に位置させている。
【００５２】
即ち、第１の屋根１６０は、第２の屋根１７０の延長線Ｖとの交点（図７のＳ）より上方まで延在されている。
【００５３】
そして、この第１の屋根１６０の棟１６０ｂから軒先１６０ｃまで、ほぼ全域にわたって、前記バルコニーユニット１４３の上部を除き、流れ方向４枚×桁方向１０枚で合計３６枚の太陽光発電パネル４０…が敷設されている。
【００５４】
これらの太陽光発電パネル４０…の総出力は、約６．１６ｋｗで、標準的な４人家族における光熱費を太陽光発電だけでほぼ賄える出力を有している。
【００５５】
そして、図７に示すように、前記第２の屋根１７０の上端縁１７０ａからの延長線Ｖが、前記第１の屋根１６０と交わる位置Ｓよりも、第１の屋根１６０の上端縁１６０ａ側にも、前記太陽光発電パネル４０が延設されて敷設されている。
【００５６】
更に、この実施の形態２では、前記第１の屋根１６０の上端縁１６０ａから垂下されて前記第２の屋根１７０の上端縁１７０ａに至る屋根部縦壁面１８０が形成されている。そして、この実施の形態２の屋根部縦壁面１８０には、通風用の開口部１８１が形成されていて、排熱換気扇又は換気窓１８２が設けられている。
【００５７】
また、この実施の形態２では、前記第１の屋根１６０の下端１６０ｃ近傍に、前記バルコニーユニット１４３からなるバルコニー１９０が設けられている。
【００５８】
次に、この実施の形態２の建物２００の作用について説明する。
【００５９】
この実施の形態２では、前記太陽光発電パネル４０…が、前記建物２００の段違い屋根１５０のうち、前記第１の屋根１６０の棟１６０ｂから軒先１６０ｃまで、ほぼ全域にわたって敷設されている。
【００６０】
この第１の屋根１６０の上端縁１６０ａは、第２の屋根１７０の上端縁１７０ａよりも高い位置に位置しているので、第１の屋根１６０の面積が増大し、太陽光発電パネル４０を設置する面積を増大させることが出来、充分な発電量が得られる。
【００６１】
例えば、比較として、前記実施の形態１では、最も棟側に敷設された太陽光発電パネル４０ａは、標準の太陽光発電パネル４０の約半分の流れ方向長さを有して、発電量も比較的小さくなってしまうが、この実施の形態２では、最も棟側に敷設される太陽光発電パネル４０…も標準の流れ方向長さのものを使用出来、発電量を増大させることができる。
【００６２】
ここで、南向きの屋根のみで屋根を構成した片流れ屋根は、更に、南向きの屋根面積が増大するが、屋根の上端縁が高くなりすぎ、法規制に抵触しやすく、また、外観も単調となってしまう。
【００６３】
更に、建物２００の床面積を増大させること無く、前記第２の屋根１７０の上端縁１７０ａからの延長線Ｖが、前記第１の屋根１６０と交わる位置Ｓよりも、第１の屋根１６０の上端縁１６０ａ側にまで、太陽光発電パネル４０を延設して設置する面積を増大させることができる。
【００６４】
また、前記第１の屋根１６０の下端近傍にバルコニーユニット１４３を設けて、充分な採光を得られるバルコニー１９０を確保しているが、軒先近傍の太陽光発電パネル４０の数が、４枚減少するにも拘わらず、前記太陽光発電パネル４０…を設置する面積が、この段違い屋根１５０の第１の屋根１６０では、増大しているので、充分な発電量が確保出来る。
【００６５】
また、この実施の形態２の建物２００では、南側の２階居室ユニット１４２が、その上面が第１の屋根１６０の勾配に沿って傾斜し、ここに、屋根ユニット１５２と連続して第１の屋根１６０の軒側部分を構成する屋根パネルユニット１５３が設置されていて、この屋根パネル１５３の上面にも、太陽光発電パネル４０が敷設されている。
【００６６】
そして、前記２階居室ユニット１４２内部の居室上部は、標準高さ以下に、かつ傾斜面として区画されている。
【００６７】
このため、屋根の高さを抑えながら、屋根の面積すなわち太陽光発電パネル４０…の設置可能面積を増大させることができる。
【００６８】
更に、この実施の形態２では、前記屋根部縦壁面１８０に、通風用の開口部１８１が形成されていて、排熱換気扇又は換気窓１８２が設けられている。
【００６９】
このため、換気性を良好なものとして、更に、冷暖房効率を向上させることができる。従って、冷暖房時に電力が不足しがちな場合であっても、換気により不要な冷暖房を減少させることが出来、建物の床面積を増大させることなく、電力供給を充分に行わせることができる。
【００７０】
他の構成及び作用効果については、前記実施の形態１と同一乃至均等であるので、説明を省略する。
【００７１】
【発明の実施の形態３】
次に、この発明の実施の形態３の建物３００について図面を参照しながら説明する。
【００７２】
図８乃至図１１は、この発明の実施の形態３の建物３００を説明するものである。なお、前記実施の形態１，２と同一乃至均等な部分については、同一符号を付して説明する。
【００７３】
まず、構成を説明すると、この発明の実施の形態３に係る建物３００は、基礎１０と、基礎１０上に組み付けられた躯体本体２２０とから主に構成されている。  このうち、躯体本体２２０は、複数の建物ユニットとしての１階居室ユニット１３１等が組み合わせられて構成される１階部２３０と、複数の建物ユニットとしての２階居室ユニット２４１，２４２及びバルコニーユニット２４３等を組み合わせて構成される２階部２４０と、この２階部２４０の上部を覆う屋根２５０とを有して主に構成されている。
【００７４】
このうち、２階部２４０を構成する２階居室ユニット２４２は、図１０に示すように、通常の２階居室ユニット２４１の桁方向長さｄ１よりも短い桁方向長さｄ２を有することにより、２階居室ユニット２４１の第１の外壁２４１ａよりも寸法ｄ３だけ後退した位置に、第２の外壁２４２ａを有している。
【００７５】
また、前記屋根部２５０は、第１の屋根２６０及び第２の屋根２７０と、北側に設けられた段違い屋根部２８０を構成する屋根ユニット２８１，２８１等とから主に構成されている。
【００７６】
このうち、前記第１の屋根２６０は、前記２階居室ユニット２４１の上方に載置されて、前記第１の外壁２４１ａの上方に位置する棟側の屋根ユニット２６１及び、桁方向中央の２階居室ユニット２４１の上方に載置される軒先側の屋根ユニット２６２とを有して主に構成されている。
【００７７】
また、前記第２の屋根２７０は、前記２階居室ユニット２４１，２４２の上方に各々載置される棟側の屋根ユニット２７１及び軒先側の屋根ユニット２７２とを有して主に構成されている。
【００７８】
これらの屋根ユニット２６１，２６２及び屋根ユニット２７１，２７２の上面には、同一平面を呈して、複数の太陽光発電パネル４０，４０が、隣接配置されている。
【００７９】
この実施の形態３では、前記第１の屋根２６０の屋根面２６０ａに、棟２６１ａから軒先２６２ａまで、ほぼ全域にわたって、通常の全長の太陽光発電パネル４０…が３枚縦列に敷設され、さらに、これが４列に横列されて敷設されている。
【００８０】
そして、この第１の屋根２６０の屋根面２６０ａと同一高さで、同一角度の傾斜を有する第２の屋根２７０の屋根面２７０ａに、棟２７１ａから軒先２７２ａまで、ほぼ全域にわたって、通常の全長の太陽光発電パネル４０…が３枚縦列に敷設され、さらに、これが６列に横列されて敷設されている。
【００８１】
また、前記屋根ユニット２７２は、図８に示すように、前記第２の外壁２４２ａの上方に位置するように構成されて、軒先２７２ａが、前記バルコニーユニット２４３の上方に位置するように、前記第１の屋根２６０の屋根ユニット２６２の軒先２６２ａと同一直線上に設けられている。
【００８２】
そして、この実施の形態３のバルコニーユニット２４３は、図１０に示すように、一部を前記居室ユニット１３１の下屋上に載置することにより、前記２階居室ユニット２４１の第１の外壁２４１ａよりも、更に、建物３００の外側方に他の一部を、寸法ｄ４だけ突設させるように、前記第２の外壁２４２ａの外側に隣接配置されている。
【００８３】
次に、この実施の形態３の建物３００の作用について説明する。
【００８４】
このように構成されたこの実施の形態３の建物３００では、前記第２の屋根２７０は、前記第１の屋根２６０と同一平面とされると共に、この第１の屋根２６０の軒先２６２ａと、前記第２の屋根２７０の軒先２７２ａとが、同一直線上となるように構成されているので、床面積を増大させることなく、屋根の面積すなわち太陽光発電パネル４０の設置可能面積を、前記バルコニーユニット２４３設置増部位である２階居室ユニット２４２の外壁２４２ａ上方から、バルコニー部分の上方を略覆うように増大させることができる。
【００８５】
このように、前記第２の外壁２４２ａの屋外側に設けられたバルコニーユニット２４３の上方に前記第２の屋根２７０の軒先２７２ａを設けることができるので、更に、第２の屋根２７０でも、第１の屋根２６０と同様に、３列の太陽光発電パネル４０…を、棟２７１ａから軒２７２ａまでに渡り敷設出来る。
【００８６】
従って、床面積を増大させることなく、屋根の面積すなわち太陽光発電パネル４０の設置可能面積を増大させることができる。
【００８７】
また、前記第２の屋根２７０が、前記第１の屋根２６０と同一平面とされているので、第２の屋根２７０と、前記第１の屋根２６０との間の屋根２５０に段差を発生させることがない。
【００８８】
比較例として示す図１１の建物４００では、大屋根部４０１及びこの大屋根部４０１の棟４０２よりも低い位置に棟４０４を有する小屋根部４０３を有して、各々の大屋根部４０１及び小屋根部４０３に太陽光発電パネル４０，４０が敷設されている。
【００８９】
このような建物では、大屋根部４０１及び小屋根部４０３間の段差ｈによって、図１１中斜線で示すような日陰部分Ｂが生じてしまい、大屋根部４０１に隣接する小屋根部４０３の太陽光発電パネル４０ｂ，４０ｂが、この日陰部分Ｂに入る虞があった。
【００９０】
しかしながら、この実施の形態３の記載された建物３００では、図８に示すように、前記第の屋根２７０が、前記第１の屋根２６０と同一平面とされているので、屋根部に段差を発生させることがない。
【００９１】
このため、比較例として示した図１１の建物４００の様に段差ｈによって日陰部分が生じることもなく、太陽光発電パネル４０…に略均等に太陽光が当たる。
【００９２】
従って、発電効率を良好なものとすることができる。
【００９３】
他の構成及び作用効果については、前記実施の形態１，２と同一乃至均等であるので、説明を省略する。
【００９４】
以上、図面を参照して、本発明の実施の形態１乃至３を詳述してきたが、具体的な構成は、これらの実施の形態１乃至３に限らず、本発明の要旨を逸脱しない程度の設計的変更は、本発明に含まれる。
【００９５】
例えば、実施の形態２では、前記第１の屋根１６０の上端縁１６０ａから前記第２の屋根１７０の上端縁１７０ａに至るまで垂下された屋根部縦壁面１８０を有するものを用いて説明してきたが、特にこれに限らず、例えば、前記第２の屋根１７０の上端縁１７０ａから、前記第１の屋根１６０と交わる位置Ｓ近傍まで、第２の屋根１７０の上端縁１７０ａが、第１の屋根１６０の下側に位置する形状等、第１の屋根の上端縁を第２の屋根の上端縁よりも高い位置に位置させた段違い屋根を有するものであるならば、どの様な形状であってもよい。
【００９６】
また、実施の形態３では、段違い屋根２８０を形成する屋根ユニット２８１を屋根２５０の北側に設けているが、特にこれに限らず、例えば、寄せ棟屋根等、他の形状の屋根であってもよい。
【００９７】
【発明の効果】
以上説明してきたように、この発明の請求項１に記載されたものによれば、上下分割屋根で無く連続した葺き降ろし屋根であるため、上階屋根と下階屋根との連続した境界部でも無駄な空きを発生させること無く、太陽光発電パネルを敷設でき、配置の自由度が増し、より多くの太陽光発電パネルが設置され、有効かつ充分な発電量が得られる建物を提供することが出来る。また、小分割されていないので、施工やメンテナンス時の作業性や安全性が良くなる。
【００９８】
更に、請求項２に記載された発明では、床面積を増加すること無く、充分な発電量を確保し、下階屋根下に天井高となる空間が形成され、開放感と共に明るさも享受できる。
【００９９】
さらに、請求項３に記載の発明では、さらに発電量を増やしながら、充分な採光の得られるバルコニーを確保することができ、このバルコニーから屋根に登りやすいので、施工やメンテナンス時の作業性や安全性がさらに良くなる。
【０１００】
また、請求項４記載のものでは、前記太陽光発電パネルが、前記第１の屋根の棟から軒先まで、ほぼ全域にわたって敷設されている。
【０１０１】
該第１の屋根の上端縁は、第２の屋根の上端縁の上方に位置しているので、第１の屋根の面積が増大し、太陽光発電パネルを設置する面積を増大させることが出来、充分な発電量が得られる。
【０１０２】
更に、請求項５に記載されたものでは、前記第１の屋根の下端近傍にバルコニーを設けて、充分な採光を得られるバルコニーを確保して、軒先近傍の太陽光発電パネルの数が減少する場合でも、発電パネルを設置する面積が増大しているので、充分な発電量が確保出来る。
【０１０３】
更に、請求項６に記載されたものでは、換気性を良好なものとして、更に、冷暖房効率を向上させることができる。従って、冷暖房時に電力が不足しがちな場合であっても、建物の床面積を増大させることなく、電力供給を充分に行わせることができる。
【０１０４】
また、請求項７に記載されたものでは、前記居室上部が、標準高さ以下に、かつ傾斜面として区画されているので、屋根の高さを抑えながら、屋根の面積すなわち太陽光発電パネルの設置可能面積を増大させることができる。
【０１０５】
そして、請求項８に記載されたものでは、前記第２の屋根は、前記第１の屋根と同一平面とされると共に、該第１の屋根の軒先と、前記第２の屋根の軒先とが、同一直線上に位置されているので、床面積を増大させることなく、屋根の面積すなわち太陽光発電パネルの設置可能面積を増大させることができる。
【０１０６】
また、前記第２の屋根が、前記第１の屋根と同一平面とされているので、屋根部に段差を発生させることがない。このため、段差によって日陰部分が生じることもなく、太陽光発電パネルの発電効率を良好なものとすることができる。
【０１０７】
更に、請求項９に記載されたものでは、前記第２の外壁の屋外側に設けられたバルコニーの上方に前記第２の屋根の軒先を設けることができるので、更に、床面積を増大させることなく、屋根の面積すなわち太陽光発電パネルの設置可能面積を増大させることができる、という実用上有益な効果を発揮する。
【図面の簡単な説明】
【図１】この発明の実施の形態１に係る建物を示す全体斜視図である。
【図２】実施の形態１の建物を示し、図１中ＩＩ−ＩＩ線に沿った位置での断面図である。
【図３】この発明の実施の形態２に係る建物の構成を示す全体の斜視図である。
【図４】実施の形態２の建物で、南向きの正面図である。
【図５】実施の形態２の建物で、右側面図である。
【図６】実施の形態２の建物で、左側図である。
【図７】実施の形態２の建物を示し、図４中ＩＩＩ−ＩＩＩ線に沿った位置での断面図である。
【図８】この発明の実施の形態３に係る建物の構成を示す全体の斜視図である。
【図９】実施の形態３の建物で、南向きの正面図である。
【図１０】実施の形態３の建物で、右側面図である。
【図１１】実施の形態２の建物との対比で説明する棟違い屋根を有する建物の斜視図である。
【符号の説明】
１００，２００，３００：建物
２０，１２０，２２０  ：躯体本体
２１                  ：リビングルーム
２１ａ                ：吹き抜け空間
２１ｅ                ：天窓
２５                  ：バルコニー
３０                  ：屋根
３１、３１ａ、３１ｂ  ：上階屋根
３２                  ：下階屋根
３３                  ：棟
３４                  ：葺き降ろし屋根
３５                  ：軒先
３６                  ：空き
４０，４０ａ          ：太陽光発電パネル
１５０                ：招き屋根（段違い屋根）
１６０                ：第１の屋根
１６０ａ              ：上端縁
１７０                ：第２の屋根
１７０ａ              ：上端縁
１８０                ：屋根部縦壁面
１９０                ：バルコニー
２４１ａ              ：第１の外壁
２４２ａ              ：第２の外壁
２５０                ：屋根
２６０                ：第１の屋根
２６１ａ              ：棟
２６２ａ              ：軒先
２７０                ：第２の屋根
２７１ａ              ：棟
２７２ａ              ：軒先
２４３                ：バルコニーユニット（バルコニー）
【図１】
2004332200.tif 000003
【図２】
2004332200.tif 000004
【図３】
2004332200.tif 000005
【図４】
2004332200.tif 000006
【図５】
2004332200.tif 000007
【図６】
2004332200.tif 000008
【図７】
2004332200.tif 000009
【図８】
2004332200.tif 000010
【図９】
2004332200.tif 000011
【図１０】
2004332200.tif 000012
【図１１】
2004332200.tif 000013